(57)【要約】【課題】本発明の目的は、簡易にコイル状物品を梱包することのできるコイル状物品梱包材を提供する。【解決手段】本発明に係るコイル状物品梱包材１０は、コイル状物品７０の梱包材であって、内面側で前記コイル状物品の外周及び側面を覆うシート２０と、前記シートの少なくとも一方の側縁に装着され、前記シート側縁から延出し、内面に第１の面ファスナー３１が取り付けられたベルト状部材３０と、前記シートの外面に取り付けられ、前記第１の面ファスナーと面接合する第２の面ファスナー２１と、を具える。【選択図】図１
2016108033.tif 000002
【特許請求の範囲】
【請求項１】
コイル状物品の梱包材であって、
内面側で前記コイル状物品の外周及び側面を覆うシートと、
前記シートの少なくとも一方の側縁に装着され、前記シート側縁から延出し、内面に第１の面ファスナーが取り付けられたベルト状部材と、
前記シートの外面に取り付けられ、前記第１の面ファスナーと面接合する第２の面ファスナーと、
を具えることを特徴とするコイル状物品梱包材。
【請求項２】
前記ベルト状部材は、基端両面に第３の面ファスナーが取り付けられており、
前記シートには、側縁に対向して延出し、対向面に夫々前記第３の面ファスナーと面接合する第４の面ファスナーが取り付けられた一対の舌状片が装着され、
前記ベルト状部材は、前記第３の面ファスナーと前記第４の面ファスナーと面接合することにより着脱可能である、
請求項１に記載のコイル状物品梱包材。
【請求項３】
前記ベルト状部材は、前記シートの一方の側縁に装着され、
前記シートの内面には、前記シートの他方の側縁を内面側に折り曲げた状態で面接合する第５及び第６の面ファスナーが取り付けられている、
請求項１又は請求項２に記載のコイル状物品梱包材。
【発明の詳細な説明】
【技術分野】
【０００１】
本発明は、鋼板や線材をコイル状に巻回したコイル状物品を梱包するコイル状物品梱包材に関するものである。
【背景技術】
【０００２】
鋼板や線材をコイル状に巻回したコイル状物品を保管、運搬等する際に、コイル状物品を傷付きや汚れ等を防止するためにコイル状物品の外周面及び側面をシートからなる梱包材で覆っている。梱包材は、シートの両側縁に紐が縫着されており、シートでコイル状物品を覆った後、紐をコイル状物品の中空部を通し、中空部中で互いに結ぶことで、コイル状物品を梱包する。
【０００３】
また、特許文献１の梱包材は、シートの両側縁に袋状部を設けて、紐を挿通し、紐状部の両端をシートに縫着している。そして、シートでコイル状物品を覆った後、袋状部に開設された開口部から紐を引っ張って梱包している。
【先行技術文献】
【特許文献】
【０００４】
【特許文献１】特開２００９−１０２０４１号公報
【発明の概要】
【発明が解決しようとする課題】
【０００５】
段落[０００２]に挙げた背景技術の梱包材では、中空部内で紐どうしを括り付けるため手間が掛かり、作業性が良好でない。
【０００６】
また、何れの背景技術の梱包材も、コイル状物品の梱包状態において紐が外側に垂れ下がることがある。このため、保管、運搬時にフォークリフトやパレット、スタッカークレーン等に引っ掛かることがあり邪魔になる。また、梱包材は繰り返し使用されるが、紐が切れたり傷んでしまうことがあり、そのたびに新たな紐をシートに縫着する必要がある。
【０００７】
さらに、コイル状物品の幅や厚さが異なると、シートの大きさが異なる梱包材を準備しなければならない不便もある。
【０００８】
本発明の目的は、簡易にコイル状物品を梱包することのできるコイル状物品梱包材を提供することである。
【課題を解決するための手段】
【０００９】
上記課題を解決するために本発明に係るコイル状物品梱包材は、
コイル状物品の梱包材であって、
内面側で前記コイル状物品の外周及び側面を覆うシートと、
前記シートの少なくとも一方の側縁に装着され、前記シート側縁から延出し、内面に第１の面ファスナーが取り付けられたベルト状部材と、
前記シートの外面に取り付けられ、前記第１の面ファスナーと面接合する第２の面ファスナーと、
を具える。
【００１０】
前記ベルト状部材は、基端両面に第３の面ファスナーが取り付けられており、
前記シートには、側縁に対向して延出し、対向面に夫々前記第３の面ファスナーと面接合する第４の面ファスナーが取り付けられた一対の舌状片が装着され、
前記ベルト状部材は、前記第３の面ファスナーと前記第４の面ファスナーと面接合することにより着脱可能である。
【００１１】
前記ベルト状部材は、前記シートの一方の側縁に装着され、
前記シートの内面には、前記シートの他方の側縁を内面側に折り曲げた状態で面接合する第５及び第６の面ファスナーが取り付けられている。
【発明の効果】
【００１２】
本発明のコイル状物品梱包材によれば、シートによってコイル状物品を覆った後、ベルト状部材をコイル状物品の中空部を通して引き出して、ベルト状部材の第１の面ファスナーをシートの第２の面ファスナーと面接合させることによって、簡易にコイル状物品を梱包することができる。梱包状態において、ベルト状部材は面接合されているから垂れ下がって邪魔になることはない。
【００１３】
また、ベルト状部材をシートに着脱自在とすることによりベルト状部材が傷みや面接合力が低下したときに容易に交換することができる利点がある。とくに、ベルト状部材の基端に取り付けられた第３の面ファスナーをシートの舌状片の第４の面ファスナーによって両面から挟み込んで面接合することにより、梱包時等にベルト状部材を引っ張っても容易にベルト状部材が外れてしまうこともない。
【００１４】
さらに、シートの側縁を折り曲げた状態で第５及び第６の面ファスナーにより面接合することによりシートの幅を変えることができるから、コイル状物品の幅や厚さが異なっても梱包することができ、汎用性を高めることができる。
【図面の簡単な説明】
【００１５】
【図１】図１は、本発明の一実施形態に係るコイル状物品梱包材の外面を示す図である。
【図２】図２は、コイル状物品梱包材の内面を示す図である。
【図３】図３は、コイル状物品梱包材によってコイル状物品を梱包した状態を示す斜視図である。
【図４】図４は、ベルト状部材と舌状片の拡大図であって、図４（ａ）は外面から見た図、図４（ｂ）は図４（ａ）の線Ａ−Ａに沿う断面図である。
【図５】図５は、シートの折曲げ状態の説明図である。
【図６】図６は、シートに設けられた識別標識参照窓の説明図である。
【発明を実施するための形態】
【００１６】
以下、本発明の一実施形態に係るコイル状物品梱包材（以下単に「梱包材１０」という）について、図面を参照しながら説明する。
【００１７】
図１は、梱包材１０についてコイル状物品を梱包したときに外側となる外面から見た図、図２はコイル状物品側となる内面から見た図である。本発明の梱包材１０は、図１及び図２に示すように、略矩形のシート２０と、シート２０の側縁から延出するベルト状部材３０を具える。
【００１８】
図示の実施形態では、ベルト状部材３０は、シート２０の一方の側縁から複数延出するよう装着されている。なお、ベルト状部材３０の数は図示に限定されるものではなく、また、ベルト状部材３０は、シート２０の両側縁に装着する構成としても構わない。
【００１９】
シート２０及びベルト状部材３０には、後述するとおり面ファスナー２１，３１が夫々装着されており、シート２０をコイル状物品７０に巻き付けた後、ベルト状部材３０をコイル状物品７０の中空部７１に通し、ベルト状部材３０の面ファスナー３１をシート２０の面ファスナー２１と面接合することにより、図３に示すように梱包材１０でコイル状物品７０を梱包することができる。
【００２０】
シート２０及びベルト状部材３０は、ポリエステル、ポリプロピレン等の樹脂材料や布によって構成され、必要に応じて周縁が補強縫製される。
【００２１】
シート２０の幅は、コイル状物品の外周面及び両側面を合わせた寸法とすることができる。なお、図５を用いて後で説明するとおり、シート２０を折り曲げて幅を変えて使用する場合には、幅の広いコイル状物品に合わせて形成する。
【００２２】
シート２０の長さは、コイル状物品の外周長又はこれよりも長い寸法とすることができる。シート２０の長さをコイル状物品の外周長よりも長くするのは、シート２０でコイル状物品を覆ったときに、シート２０の両端縁を重ねるためである。以下の説明では、コイル状物品を覆ったときに両端縁が重なるシート２０について説明する。なお、コイル状物品の外周面全体を覆わず、上から掛けるだけの場合、シート２０の長さは、その必要長さ、たとえば、コイル状物品の外周囲寸法の３／４等とすればよい。
【００２３】
シート２０は、図１の左側（図２では右側）をコイル状物品への巻き始め端２５とし、右側（図２では左側）を巻き終わり端２６としたときに、巻き始め端２５と巻き終わり端２６に挟まれる一方の側縁にベルト状部材３０が装着されている。
【００２４】
ベルト状部材３０は、図３に示すようにコイル状物品７０を梱包した状態で、コイル状物品７０の中空部７１を通って、他方から引き出され、コイル状物品７０の外周面の略中央まで届く長さを有する。
【００２５】
そして、シート２０及びベルト状部材３０には、梱包状態でベルト状部材３０を固定する面ファスナー２１，３１が取り付けられている。第１の面ファスナー３１は、ベルト状部材３０の内面に取り付けられており、第２の面ファスナー２１は、シート２０の外面に取り付けられている。より詳細には、第１の面ファスナー３１は、ベルト状部材３０の内面先端側に取り付けられている。第２の面ファスナー２１は、コイル状物品を梱包したときに、コイル状物品の中空部を通って引き出されたベルト状部材３０の内面先端が当接する位置に取り付けられている。
【００２６】
望ましくは、第１の面ファスナー３１がフック状に起毛したフック面、第２の面ファスナー２１がループ状に起毛したループ面とする。これにより、梱包状態においてフック面が内向きとなって露出しないから、フック面の傷みや異物の付着を防止できる。
【００２７】
第２の面ファスナー２１は、第１の面ファスナー３１に比してシート２０の幅方向に長く形成しておくことが好適である。これにより、コイル状物品の厚さ等が異なっていても、第１の面ファスナー３１を垂れることなく良好に面接合させることができる。
【００２８】
なお、シート２０の外面に、図１に示すようにベルト状部材３０を通すベルトループ２２を設けておくことで、ベルト状部材３０の弛みをより効果的に防止できると共に、ベルト状部材３０を誘導してその通過位置を決定できるから、対応する第１の面ファスナー３１と第２の面ファスナー２１を確実に面接合させることができる。
【００２９】
ベルト状部材３０は、梱包時及び梱包状態においてテンションが掛かるため、シート２０に比して傷みやすい。また、一般に面ファスナーのフック面とループ面ではフック面の方が面接合力が低下しやすい。そこで、本実施形態では、ベルト状部材３０をシート２０に着脱自在としている。
【００３０】
より詳細には、図４に示すように、シート２０の側縁からシート２０を挟んで一対の舌状片４０，４０を縫着４１等により装着している。ベルト状部材３０の基端両面に第３の面ファスナー３３，３３が取り付けられており、舌状片４０，４０の対向面に第３の面ファスナー３３，３３と面接合する第４の面ファスナー４２，４２を取り付けている。これにより、図４中矢印αに示すように舌状片４０，４０を開いてベルト状部材３０を挿入して挟み込むことで第３の面ファスナー３３，３３と第４の面ファスナー４２，４２が面接合し、ベルト状部材３０を取り付けることができる。一方、ベルト状部材３０を交換する場合には、舌状片４０，４０を開いて第３の面ファスナー３３，３３と第４の面ファスナー４２，４２の接合を解けばよい。
【００３１】
このように、ベルト状部材３０を着脱可能とすることで、交換が必要なベルト状部材３０のみを入れ替えることができるから、梱包材１０の長寿命化を図ることができる。なお、ベルト状部材３０を挟み込んで面接合しているから、ベルト状部材３０が容易に外れてしまうこともない。
【００３２】
また、シート２０は、大きさの異なるコイル状物品でも梱包できるよう、シート２０を折り曲げて幅を可変としている。より詳細には、図５中矢印βに示す如く、シート２０の側縁を内面側に向けて折り曲げたときに、折り曲げ状態を維持できるように、シート２０の側縁に第５の面ファスナー２３、折り曲げた状態で第５の面ファスナー２３が対向する位置に第６の面ファスナー２４を形成している。
【００３３】
そして、小さい径や幅の狭いコイル状物品を梱包する場合には、シート２０の側縁を内側に折り曲げて、第５の面ファスナー２３と第６の面ファスナー２４を面接合させればよい。これにより、梱包材１０の汎用性を高めることができ、梱包材１０の種類を減らすことができる。
【００３４】
なお、第６の面ファスナー２４をシート２０の幅方向に複数設けることで、シート２０を複数幅に調整することもできる。
【００３５】
梱包材１０でコイル状物品を覆ったときに、シート２０の両端縁を重ねる場合には、図１及び図２に示すように、シート２０の巻き始め端２５側の外面と、巻き終わり端２６側の内面に夫々第７の面ファスナー２７と第８の面ファスナー２８を取り付ける。これにより、シート２０の巻き終わり端２６が捲れることを防止できる。
【００３６】
本発明の梱包材１０には、図３に示すようにコイル状物品７０を梱包した状態で梱包されるコイル状物品の外周面に記載された情報、たとえば材質や厚さ等を視認や識別できるように、シート２０に識別情報参照窓５０を開設している。そして、図１、図３及び図６に示すように、識別情報参照窓５０を覆う透明なカバー５１をシート２０の外面に装着している。カバー５１は、識別情報参照窓５０よりも大きく形成して図６（矢印γ）に示すように捲れるよう、一辺をシート２０に縫着５２等により装着している。そしてカバー５１の自由端側とシート２０との対向面に第９の面ファスナー５３と第１０の面ファスナー２９を夫々取り付けている。これにより、カバー５１とシート２０との間にコイル状物品に関する情報、たとえば上記情報に加えて搬送先の情報等を記載したカード等を収容することができる。第９の面ファスナー５３と第１０の面ファスナー２９は、図６に示すように第９の面ファスナー５３は捲り方向に長く、また、第１０の面ファスナー２９はシート２０幅方向に長い形状とすることが望ましい。これにより、カバー５１に厚さのあるカード等を挿入しても、カバー５１を確実に閉じることができる。
【００３７】
上記構成の梱包材１０を用いてコイル状物品７０が梱包される。
【００３８】
コイル状物品７０の大きさに比して梱包材１０のシート２０の幅が広い場合には、コイル状物品７０の大きさに合わせて、ベルト状部材３０が設けられていないシート２０の側縁を内側に折り曲げ、第５の面ファスナー２３と第６の面ファスナー２４とを面接合すればよい。
【００３９】
そして、シート２０をコイル状物品７０に被せて巻き付ける。シート２０をコイル状物品７０に被せることで、シート２０の両端は、巻き終わり端２６に巻き始め端２５が重なり、重なり部に取り付けられた第７の面ファスナー２７と第８の面ファスナー２８を面接合する。これにより、シート２０は、巻き終わり端２６が捲れることなくコイル状物品７０の外周面を覆う。
【００４０】
続いて、コイル状物品７０から両側にはみ出たシート２０の側縁をコイル状物品７０の内周側に折り曲げ、一方の側縁に設けられたベルト状部材３０をコイル状物品７０の中空部７１を通して引き出す。
【００４１】
次に、引き出されたベルト状部材３０をベルトループ２２に通して引っ張り、第１の面ファスナー３１と第２の面ファスナー２１とを面接合することで、図３に示すように、シート２０及びベルト状部材３０が緩むことなくコイル状物品７０を覆う。これにより、コイル状物品７０の梱包が完了し、コイル状物品７０は、その外周面をシート２０によって保護される。なお、図３では、ベルト状部材３０は夫々２つのベルトループ２２，２２を通しているが、一方のベルトループ２２のみを通すようにしてもよい。
【００４２】
コイル状物品７０の外周面に識別情報が付されている場合には、シート２０の識別情報参照窓５０から参照することができる。また、その他の情報が必要な場合には、識別情報表示窓５０に設けられた透明なカバー５１を捲って第９の面ファスナー５３と第１０の面ファスナー２９の接合を解き、情報の記載されたカード等を挿入し、カバー５１を戻して第９の面ファスナー５３と第１０の面ファスナー２９を再度面接合すればよい。
【００４３】
コイル状物品７０の保管、運搬等において、ベルト状部材３０は、第１の面ファスナー３１と第２の面ファスナー２１により、コイル状物品７０の外周面に接合されているから、ベルト状部材３０が垂れ下がって邪魔になることはない。また、紐で括る場合に比べて、緩みを抑えることができる利点もある。
【００４４】
コイル状物品７０の梱包を解くには、まず、ベルト状部材３０を掴んで、第１の面ファスナー３１と第２の面ファスナー２１の接合を解き、ベルト状部材３０をベルトループ２２から外して、他方の側縁からベルト状部材３０を手繰り寄せる。続いて、シート２０の巻き終わり端２６を引っ張って、重なり部の第７の面ファスナー２７と第８の面ファスナー２８の接合を解き、コイル状物品７０からシート２０を剥がせばよい。
【００４５】
梱包材１０は、繰り返して使用することができる。繰り返しの使用によって、ベルト状部材３０が傷んだり、第１の面ファスナー３１の接合力が低下することがある。この場合、図４に示した構成を採用することで、ベルト状部材３０の基端に取り付けられた第３の面ファスナー３３，３３と、シート２０の側縁に設けられた一対の舌状片４０，４０の第４の面ファスナー４２，４２の接合を解いて、ベルト状部材３０を交換すればよい。
【００４６】
上記説明は、本発明を説明するためのものであって、特許請求の範囲に記載の発明を限定し、或いは範囲を限縮するように解すべきではない。また、本発明の各部構成は、上記実施例に限らず、特許請求の範囲に記載の技術的範囲内で種々の変形が可能であることは勿論である。
【００４７】
たとえば、梱包材１０のシート２０、ベルト状部材３０等の形状、長さ等は上記実施形態に限定されるものではない。もちろん、ベルト状部材３０の本数や装着位置等についても同様である。
【符号の説明】
【００４８】
１０  梱包材
２０  シート
２１  第２の面ファスナー
３０  ベルト状部材
３１  第１の面ファスナー
７０  コイル部材
【図１】
2016108033.tif 000003
【図２】
2016108033.tif 000004
【図３】
2016108033.tif 000005
【図４】
2016108033.tif 000006
【図５】
2016108033.tif 000007
【図６】
2016108033.tif 000008